(57)【要約】      （修正有）【課題】ナイフ式電気コネクタを提供する。【解決手段】本発明のナイフ式電気コネクタは、相互に挿脱されるメスエンド機構１００及びオスエンド機構３００を備える。前記メスエンド機構はナイフホルダーと、複数の端子圧接片２１と、複数のプラグ柱２２と、シールプレート２３とを含む。前記オスエンド機構は接続台座３１と、複数のナイフゲート端子３２と、複数の接続用端子と、シール部材３４とを具備する。上述の部材構成により密封を達成させるほか、接続用端子の数量も更に増加し、より多くのチャンネルの選択及び配置を提供する。【選択図】図３
2019140086.tif 000002
【特許請求の範囲】
【請求項１】
相互に挿脱されるメスエンド機構及びオスエンド機構を備えるナイフ式電気コネクタであって、
前記メスエンド機構は、
台座本体と、複数の端子スロットと、少なくとも１つの位置決め溝と、複数の挿入孔とを有するナイフホルダーであって、
前記台座本体は外部に連通される収容室を有し、前記収容室は前記台座本体の前記オスエンド機構に当接される端部とは反対の端部の垂直端面に陥没形成され、
各前記端子スロットは台座本体を貫通させるように形成されると共に前記収容室に連通され、且つ前記台座本体の前記オスエンド機構に当接される各端面に向けて開放され、
前記位置決め溝は前記台座本体の前記オスエンド機構に当接される垂直端面に陥没形成され、且つ各前記端子スロットの間に位置されると共に前記台座本体の前記オスエンド機構に当接される各端面に向けて開放され、
各前記挿入孔は各前記位置決め溝に対応させて台座本体を貫通させるように形成され、且つ前記収容室に連通されることと、
各前記端子スロット中にそれぞれ設置される複数の端子圧接片と、
各前記挿入孔中にそれぞれ挿設される複数のプラグ柱と、
前記収容室に嵌入されて前記収容室の開放端の断面を封鎖させるシールプレートとを更に含み、
前記オスエンド機構は、接続台座及びシール部材を更に含み、前記接続台座は、
複数の第一端子孔及び複数の第二端子孔を有し、各前記第一端子孔及び各前記第二端子孔は前記接続台座を貫通させるように形成され、複数のナイフゲート端子及び複数の接続用端子を貫設させ、
前記シール部材は、複数の断面溝と、複数のスルーホールと、少なくとも１つの第二位置決め凸部とを有し、
各前記断面溝及び各前記スルーホールは前記シール部材をそれぞれ貫通させるように形成され、各前記ナイフゲート端子及び各前記接続用端子を貫入させ、
前記第二位置決め凸部は前記シール部材の前記台座本体に当接される端面に形成され、且つ前記位置決め溝に適合させることを特徴とするナイフ式電気コネクタ。
【請求項２】
前記位置決め溝は隣接し合う２つの各前記端子スロットの間に設けられることを特徴とする請求項１に記載のナイフ式電気コネクタ。
【請求項３】
前記位置決め溝は隣接し合わない２つの各前記端子スロットの間に設けられることを特徴とする請求項１に記載のナイフ式電気コネクタ。
【請求項４】
前記シール部材は、前記シール部材及び前記台座本体が当接される端面にそれぞれ形成されると共に前記台座本体の各前記端子スロットに各々適合させる複数の第一位置決め凸部を更に備えることを特徴とする請求項１に記載のナイフ式電気コネクタ。
【請求項５】
前記シール部材は、前記シール部材及び前記接続台座が当接される端面に形成される組立用凹部を更に備え、前記接続台座及び前記シール部材が当接される端面には前記組立用凹部に適合させる組立用凸部を更に含むことを特徴とする請求項１に記載のナイフ式電気コネクタ。
【請求項６】
前記収容室は複数の嵌め込み溝を更に備え、各前記嵌め込み溝は前記収容室の両側の壁面に対称に凹設形成され、前記シールプレートは各前記嵌め込み溝に適合させる複数の凸部を更に備え、各前記凸部は前記シールプレートの両側端に形成されることを特徴とする請求項１に記載のナイフ式電気コネクタ。
【請求項７】
前記接続台座は、各前記第二端子孔の周縁に対応するように前記接続台座の前記シール部材に当接される端面とは別の端面に陥没形成されるガム溝を更に備えることを特徴とする請求項１に記載のナイフ式電気コネクタ。
【請求項８】
前記シールプレートは、各前記孔の周縁にそれぞれ対応するように前記シールプレートの前記収容室に当接される端面とは反対の端面に各々陥没形成される複数の布用ボンド溝を更に備えることを特徴とする請求項１に記載のナイフ式電気コネクタ。
【請求項９】
前記ナイフホルダーは水止め部材を当接させるための固設リング部及び環状溝部を更に備え、前記固設リング部は前記台座本体の外周面に沿って巻回するように形成されると共に前記収容室の端部に隣接させ、前記環状溝部は前記固設リング部に陥没形成され、且つ前記台座本体の外周縁に沿って巻回させることを特徴とする請求項１に記載のナイフ式電気コネクタ。
【請求項１０】
前記水止め部材は水止め部材を貫通させるように形成される嵌合口及び前記嵌合口の外周縁に沿って水止め部材の端面に形成される少なくとも１つの環状リブを有し、前記環状リブは前記環状溝部に適合させて嵌合させることを特徴とする請求項９に記載のナイフ式電気コネクタ。
【発明の詳細な説明】
【技術分野】
【０００１】
本発明は、電気コネクタの分野に関し、更に詳しくは、ナイフ式電気コネクタに関する。
【背景技術】
【０００２】
コネクタは各種の電子端の接続に常用される。また、ナイフ式電気コネクタは車載用電子機器に常用される。従来の特許文献１では、例えば、ナイフ式電気コネクタこと発明が記載されている。
【先行技術文献】
【特許文献】
【０００３】
【特許文献１】台湾登録実用新案第４８５５２２号明細書
【発明の概要】
【発明が解決しようとする課題】
【０００４】
しかしながら、前述した従来の電気コネクタ技術では、従来のコネクタにより接続の目的を達成できるが、但し、現在必要とされる規格を満たすことはできなかった。
【０００５】
また、電子データのデータ量や電力伝送需要が増加しており、従来の２Ｐ４Ｓ規格の６ピン形態では伝送技術の需要に応えられなかった。ゆえに、より多くのピンを有するコネクタの必要が叫ばれているが、複数のピンを有するナイフ式構造では長くなりすぎてしまい、応用範囲が狭まって接続時に力の掛け方が難しくなるほか、接続時に各ピンが確実に接続されるようにすることが困難であった。
【０００６】
そこで、本発明者は上記の欠点が改善可能と考え、鋭意検討を重ねた結果、合理的設計で上記の課題を効果的に改善する本発明の提案に到った。
【０００７】
なお、本発明は、以上の従来技術の課題を解決する為になされたものである。即ち、本発明は、ナイフ式電気コネクタを提供することを目的とする。つまり、新しい構造設計により上述従来の構造の欠点を克服する。
【課題を解決するための手段】
【０００８】
上記課題を解決するために、本発明のナイフ式電気コネクタは、相互に挿脱されるメスエンド機構１００及びオスエンド機構３００を備える。前記メスエンド機構１００は、台座本体１１と、複数の端子スロット１２と、少なくとも１つの位置決め溝１３と、複数の挿入孔１４とを有するナイフホルダー１０であって、
前記台座本体１１は外部に連通される収容室１１２を有し、前記収容室１１２は前記台座本体１１の前記オスエンド機構２００に当接される端部とは反対の端部の垂直端面に陥没形成され、
各前記端子スロット１２は台座本体１１を貫通させるように形成されると共に前記収容室１１２に連通され、且つ前記台座本体１１の前記オスエンド機構２００に当接される各端面に向けて開放され、
前記位置決め溝１３は前記台座本体１１の前記オスエンド機構２００に当接される垂直端面に陥没形成され、且つ各前記端子スロット１２の間に位置されると共に前記台座本体１１の前記オスエンド機構２００に当接される各端面に向けて開放され、
各前記挿入孔１４は各前記位置決め溝１３に対応させて台座本体１１を貫通させるように形成され、且つ前記収容室１１２に連通されることと、
各前記端子スロット１２中にそれぞれ設置される複数の端子圧接片２１と、
各前記挿入孔１４中にそれぞれ挿設される複数のプラグ柱２２と、
前記収容室１１２に嵌入されて前記収容室１１２の開放端の断面を封鎖させるシールプレート２３とを更に含む。
また、前記オスエンド機構３００は、接続台座３１及びシール部材３４を更に含み、前記接続台座３１は、複数の第一端子孔３１１及び複数の第二端子孔３１２を有し、各前記第一端子孔３１１及び各前記第二端子孔３１２は前記接続台座３１を貫通させるように形成され、複数のナイフゲート端子３２及び複数の接続用端子３３を貫設させ、
また、前記シール部材３４は、複数の断面溝３４１と、複数のスルーホール３４２と、少なくとも１つの第二位置決め凸部３４５とを有する。各前記断面溝３４１及び各前記スルーホール３４２は前記シール部材３４をそれぞれ貫通させるように形成され、各前記ナイフゲート端子３２及び各前記接続用端子３３を貫入させる。
前記第二位置決め凸部３４５は前記シール部材３４の前記台座本体１１に当接される端面に形成され、且つ前記位置決め溝１３に適合させる。
【図面の簡単な説明】
【０００９】
【図１】本発明の一実施形態に係るナイフ式電気コネクタを示す外観概略図である。
【図２】図１に示す実施形態を他の角度から見た概略図である。
【図３】図２に示す実施形態を示す断面概略図である。
【図４】図１に示す実施形態を示す一部の分解概略図である。
【図５】図１に示す実施形態を示す分解概略図である。
【図６】図５に示す実施形態を他の角度から見た概略図である。
【図７】図５に示すナイフホルダーを他の角度から見た概略図である。
【図８】本発明の他の実施形態に係るナイフ式電気コネクタを示す外観概略図である。
【図９】本発明のメスエンド機構を示す断面概略図である。
【図１０】図５に示すシ−ル部材の実施形態を示す外観概略図である。
【発明を実施するための形態】
【００１０】
以下、図面を参照しつつ、本発明に係るナイフ式電気コネクタについて具体的に説明する。尚、以下に説明する実施の形態は、特許請求の範囲に記載された本発明の内容を限定するものではない。また、以下に説明される構成の全てが、本発明の必須要件であるとは限らない。
【実施例】
【００１１】
次に、図１〜１０を参照しながら、本発明をさらに詳しく説明する。本実施例のナイフ式電気コネクタの発明は、相互に挿脱されるメスエンド機構１００及びオスエンド機構３００を備える。前記メスエンド機構１００はナイフホルダー１０と、複数の端子圧接片２１と、複数のプラグ柱２２と、シールプレート２３と、水止め部材２４とを含む。前記オスエンド機構３００は接続台座３１と、複数のナイフゲート端子３２と、複数の接続用端子３３と、シール部材３４とを具備する（図１乃至図１０参照）。
【００１２】
上述のナイフホルダー１０は、台座本体１１と、複数の端子スロット１２と、少なくとも１つの位置決め溝１３と、複数の挿入孔１４と、固設リング部１５と、環状溝部１６と、複数のねじ穴１７とを有する（図１乃至図７参照）。
【００１３】
前記台座本体１１は、収容室１１２と、複数のスキッド１１６と、複数の嵌め込み溝１１８とを有する。前述の収容室１１２は台座本体１１の一端の端面に陥没形成される。前述の各嵌め込み溝１１８は収容室１１２の両側の壁面にそれぞれ対称に凹設形成される。前述の各スキッド１１６は収容室１１２の底端面に凸設される。
【００１４】
前記端子スロット１２は台座本体１１を前後に貫通させるように形成され、且つ台座本体１１及びオスエンド機構２００が当接される各端面（上端面及び垂直面）に向けて開放されると共に収容室１１２に連通され、且つ台座本体１１の各スキッド１１６に対応する。また、各端子スロット１２は収容室１１２の上端面に隣接させ、複数の係合溝１２２が対称に陥没形成される。
【００１５】
前記位置決め溝１３は台座本体１１及びオスエンド機構２００が当接される垂直端面に陥没形成され、且つ２つの端子スロット１２の間に位置されると共に台座本体１１及びオスエンド機構２００が当接される各端面（上端面及垂直面）に向けて開放される。実施において、２つの端子スロット１２とは、隣接し合う２つの端子スロット１２または隣接し合わない２つの端子スロット１２を指す（図８の位置決め溝１３'参照）。
【００１６】
前記挿入孔１４は各位置決め溝１３に対応させて台座本体１１を前後に貫通させるように形成され、且つ収容室１１２に連通される。
【００１７】
前記固設リング部１５は台座本体１１の外周面に沿って巻回するように形成され、且つ台座本体１１の収容室１１２の端部に隣接させる。
【００１８】
前記環状溝部１６は固設リング部１５に陥没形成され、且つ台座本体１１の外周縁に沿って巻回させる。
【００１９】
前記各ねじ穴１７は固設リング部１５にそれぞれ対称に貫通させるように形成される。
【００２０】
上述の端子圧接片２１は各端子スロット１２中にそれぞれ設置され、位置決め部２１２及び端子接点２１４を有する。前記位置決め部２１２は端子圧接片２１の上端に突出形成され、且つ各係合溝１２２に適合させる。前記端子接点２１４は端子圧接片２１に隣接する位置決め部２１２の端辺に突出形成され、且つ前記端面の下端位置に配置されると共に台座本体１１のスキッド１１６に適合させる（図３乃至図６及び図９参照）。
【００２１】
上述プラグ柱２２は各挿入孔１４中にそれぞれ挿設される（図５乃至図６参照）。
【００２２】
上述のシールプレート２３は台座本体１１及び収容室１１２に嵌入されて収容室１１２の開放端の断面を封鎖させ、且つ複数の孔２３１と、複数の布用ボンド溝２３２と、複数の後退溝２３３と、複数の凸部２３４とを有する。前述の各孔２３１は各挿入孔１４の位置に適合させ、シールプレート２３を貫通させるように形成され、各前記プラグ柱２２を貫入させる。前述の布用ボンド溝２３２は各孔２３１の周縁に対応させるようにシールプレート２３が台座本体１１の収容室１１２に当接される端面とは反対の端面に陥没形成される。前述の各後退溝２３３はシールプレート２３の底端面に形成され、端子圧接片２１の端子接点２４を貫入させる。前述の各凸部２３４は各台座本体１１の嵌め込み溝１１４に適合させるようにシールプレート２３の両側端に形成される（図５乃至図６参照）。
【００２３】
上述の水止め部材２４は台座本体１１の外周縁に覆設されると共に固設リング部１５に貼り付けられ、環状溝部１６は嵌合口２４２と、複数の環状リブ２４４と、複数の貫通孔２４６とを有する。前述の嵌合口２４２は台座本体１１の輪郭に適合させて水止め部材２４を貫通させるように形成される。各環状リブ２４は嵌合口２４２の外周縁に沿って水止め部材２４の両端面に形成される。環状溝部１６及び環状リブ２４４の組み合わせにより水止め部材２４が更に好適に貼り合わせられ、接触面積及び気密（防水）効果が増す。前述の各貫通孔２４６は台座本体１１ねじ穴１８に対称に水止め部材２４を貫通させるように形成される。実施において、水止め部材２４はシリコーン材質で製造される（図１、図２、図４乃至図５参照）。
【００２４】
上述の接続台座３１は、図１乃至図６に示されるように、複数の第一端子孔３１１と、複数の第二端子孔３１２と、複数のガム溝３１３と、組立用凸部３１４とを有する。前記各第一端子孔３１１及び第二端子孔３１２は接続台座３１を貫通させるように形成され、各ナイフゲート端子３２及び接続用端子３３を貫設させる。前記ガム溝３１３は各第二端子孔３１２の周縁に対応させるように接続台座３１のシール部材３４に当接させる端面とは別の端面に陥没形成される。前記組立用凸部３１４は接続台座３１に形成されてシール部材３４の端面に当接される。実施において、 接続用端子３３はポゴピン（POGO PIN）である。
【００２５】
上述のシール部材３４は複数の断面溝３４１と、複数のスルーホール３４２と、組立用凹部３４３と、少なくとも１つの第一位置決め凸部３４４と、複数の第二位置決め凸部３４５とを有する。前述の断面溝３４１及びスルーホール３４２はシール部材３４をそれぞれ貫通させるように形成され、各ナイフゲート端子３２及び接続用端子３３を貫入させる。前述の組立用凹部３４３はシール部材３４及び接続台座３１が当接される端面に形成され、且つ接続台座３１の組立用凸部３１４に適合させ、緊密に組み合わせられる。前記第一位置決め凸部３４４はシール部材３４及び台座本体１１が当接される端面に形成され、且つ台座本体１１の端子スロット１２に適合させる。前記第二位置決め凸部３４５はシール部材３４及び台座本体１１が当接される端面に形成され、且つ台座本体１１の位置決め溝１３に適合させる（図１乃至図６及び図１０参照）。
【００２６】
以下、相関する図面を参照しながら本発明に係るナイフ式電気コネクタの実施例について更に説明する。本発明の実施方式についての理解を促すため、以下では同じ部材については同じ符号を以って標示し説明する。
【００２７】
図１乃至図１０に示されるように、メスエンド機構１００及びオスエンド機構３００を嵌め合わせる場合、オスエンド機構３００上のナイフゲート端子３２をメスエンド機構１００の各端子スロット１４に位置を合わせ、各端子スロット１２に斜角で挿入させた後に下に向けて動かし、組み合わせるように押動させて各接続用端子３３及びプラグ柱２２を当接させ、電気的接続を完成させる。
【００２８】
また、シール部材３４の第一位置決め凸部３４４及び第二位置決め凸部３４５と台座本体１１の位置決め溝１３及び端子スロット１２とを組み合わせることにより精確な定位及び緊密な組み合わせ効果を達成させる。
【００２９】
なお、図１及び図２に示されるように、シールプレート２３の布用ボンド溝２３２及び接続台座３１のガム溝３１３は接着剤の塗布及び収容に用いられ、プラグ柱２２及び接続用端子３３の接着過程で接着剤が流動するようにする。
【００３０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３１】
１００  メスエンド機構
１０  ナイフホルダー
１１  台座本体
１１２  収容室
１１４  嵌め込み溝
１１６  スキッド
１１４  嵌め込み溝
１２  端子スロット
１２２  係合溝
１３  位置決め溝
１３'  位置決め溝
１４  挿入孔
１５  固設リング部
１６  環状溝部
１７  ねじ穴
３００  オスエンド機構
２１  端子圧接片
２１２  位置決め部
２１４  端子接点
２２  プラグ柱
２３  シールプレート
２３１  孔
２３２  布用ボンド溝
２３３  後退溝
２３４  凸部
２４  水止め部材
２４２  嵌合口
２４４  環状リブ
２４６  貫通孔
３００  オスエンド機構
３１  接続台座
３１１  端子孔
３１２  第二端子孔
３１３  ガム溝
３１４  組立用凸部
３２  ナイフゲート端子
３３  接続用端子
３４  シール部材
３４１  断面溝
３４２  スルーホール
３４３  組立用凹部
３４４  第一位置決め凸部
３４５  第二位置決め凸部
【図１】
2019140086.tif 000003
【図２】
2019140086.tif 000004
【図３】
2019140086.tif 000005
【図４】
2019140086.tif 000006
【図５】
2019140086.tif 000007
【図６】
2019140086.tif 000008
【図７】
2019140086.tif 000009
【図８】
2019140086.tif 000010
【図９】
2019140086.tif 000011
【図１０】
2019140086.tif 000012
【外国語明細書】
2019140086000001.pdf